(57)【要約】【課題】リールテープを再利用可能とし、資源の有効利用を図ると共に、リールテープを回転リールに貼り付けたまま図柄の書き換えを行うことにより、リールテープの誤装着を防止すること。【解決手段】回転リール２３に可逆記録可能な記録媒体で形成されたリールテープ２５を貼り付けた状態で、前記前記可逆記録装置６０により図柄の書き換えを行う。【選択図】　　図２
2004113679.tif 000002
【特許請求の範囲】
【請求項１】
遊技機用回転リールに貼付され、可逆記録可能な記録媒体で形成されたリールテープの図柄の書き換え方法であって、
図柄を書き換えるための可逆記録装置と、可逆記録装置の作動を制御するための制御部と、所定の図柄データを入力するための入力部とを少なくとも備え、入力された図柄データに基づいて図柄の書き換えを行うように形成された図柄の書き換え装置を、回転リールの近傍に配置し、
回転リールにリールテープを貼り付けた状態で、前記前記可逆記録装置により図柄の書き換えを行うことを特徴とするリールテープの図柄の書き換え方法。
【請求項２】
遊技機用回転リールに貼付され、可逆記録可能な記録媒体で形成されたリールテープの図柄の書き換えに用いる図柄の書き換え装置であって、
図柄を書き換えるための可逆記録装置と、可逆記録装置の作動を制御するための制御部と、所定の図柄データを入力するための入力部とを少なくとも備え、
入力された図柄データに基づいて、回転リールにリールテープを貼り付けた状態で、図柄の書き換えが可能に形成されていることを特徴とする図柄の書き換え装置。
【請求項３】
ドラムに複数の図柄を表示するリールテープを貼付した回転リールと、前記回転リールの駆動を制御する回転制御手段を少なくとも有する遊技機において、
前記リールテープを可逆記録可能な記録媒体で形成し、
遊技機内部に、図柄を書き換えるための可逆記録装置と、可逆記録装置の作動を制御するための制御部と、所定の図柄データを入力するための入力部とを少なくとも備える図柄の書き換え装置を着脱可能に形成した保持体と、
所定の図柄データを前記を図柄の書き換え装置に出力可能な出力部とを設けたことを特徴とする遊技機。
【請求項４】
前記保持体を、遊技機から着脱自在に形成したことを特徴とする請求項３記載の遊技機。
【請求項５】
前記保持体は、前記回転リールに対して移動可能に形成されていることを特徴とする請求項３又は４記載の遊技機。
【請求項６】
前記図柄の書き換え装置の装着の有無を検知するための検知手段を設けたことを特徴とする請求項３乃至５記載の遊技機。
【請求項７】
前記回転制御手段は、前記図柄の書き換え装置を検知するための検知手段が図柄の書き換え装置有りの検知をしている場合に、回転リールの回転速度を書き換えに適した速度に保つよう形成されていることを特徴とする請求項６記載の遊技機。
【請求項８】
前記回転制御手段は、前記検知手段が図柄の書き換え装置無しの検知をした場合でも、所定期間にわたり、回転リールの回転速度を書き換えに適した速度に保つよう形成されていることを特徴とする請求項７記載の遊技機。
【請求項９】
前記遊技機は、正面側に開口する箱形の筐体ユニットと、
筐体ユニットの開口部を開閉自在に塞ぐ前扉と、
回転リール及び駆動装置を有するリールユニットと、
前記回転リールの作動を制御するための制御装置とを少なくとも有し、
前記制御装置を遊技機内部に着脱自在に取り付けたことを特徴とする請求項３乃至８のいずれか１項に記載の遊技機。
【請求項１０】
前記可逆記録装置は、リールテープの可逆記録可能な記録媒体に図柄を記録するための記録ヘッドと、記録された図柄を消去するための消去ヘッドを備え、この記録ヘッド及び消去ヘッドは、書き換え時においては前記リールテープに接触し、非書き換え時には前記リールテープから隔離可能に取り付けられていることを特徴とする請求項２又は３記載の図柄の書き換え装置。
【発明の詳細な説明】
【０００１】
【発明の属する技術分野】
この発明は、遊技機、さらに詳しくは、複数の図柄を表示した回転リールを有する遊技機に関する。
【０００２】
【従来の技術】
従来、スロットマシンなどの遊技機に使用する回転リールは、プラスチックフィルムなどに図柄を印刷し帯状に形成したリールテープを、ドラムに貼り付けたものとなっている。そして、いわゆる台交換により遊技内容の変更に伴い図柄の配列を変える必要がある場合には、回転リール本体は再利用し、リールテープのみを貼り替えるという作業が行われていた。
【０００３】
しかし、各回転リールに表示される図柄はそれぞれ異なる配列であることから、定められたリールに所定の配列のリールテープを貼り付けなければならず、誤装着を避けるために注意が必要であった。また、リールテープ貼り付け作業自体も、インデックスの位置に所定図柄を合わせて装着しなければならないので、面倒な作業となっていた。
【０００４】
一方、可逆記録装置を用いて、特殊な媒体に記録したデータを書き換える技術は、従前より考案されており、近年は、その実用化も進んでいる。
【０００５】
【発明が解決しようとする課題】
そこで、各請求項にそれぞれ記載された各発明は、上記した従来の技術の有する問題点に鑑みてなされたものであり、その目的とするところは、次の点にある。
（請求項１）
すなわち、請求項１記載の発明は、リールテープを再利用可能とし、資源の有効利用を図ると共に、リールテープの誤装着を防止し、書き換え作業が簡単に行えるリールテープの図柄の書き換え方法を提供しようとするものである。
【０００６】
（請求項２）
請求項２記載の発明は、次の点を目的とする。
すなわち、請求項２記載の発明は、請求項１に記載した発明に係る方法に使用する図柄の書き換え装置であって、ＲＯＭを書き換えるなどの不正行為が行われない図柄の書き換え装置を提供しようとするものである。
【０００７】
（請求項３）
請求項３記載の発明は、次の点を目的とする。
すなわち、請求項３記載の発明は、請求項１記載の発明に係る方法に使用し、また請求項２記載の発明に係る図柄の書き換え装置を使用する遊技機であって、リールテープを回転リールに貼り付けたまま図柄の書き換えが可能で、リールテープの誤装着を防止し、書き換え作業が簡単にできる遊技機を提供しようとするものである。
【０００８】
（請求項４）
請求項４記載の発明は、上記した請求項３記載の発明の目的に加え、次の点を目的とする。
すなわち、請求項４記載の発明は、図柄の書き換え後、遊技機に不要な部分を残さないようにするものである。
【０００９】
（請求項５）
請求項５記載の発明は、上記した請求項３又は４記載の発明の目的に加え、次の点を目的とする。
すなわち、請求項５記載の発明は、簡易な構成の図柄の書き換え装置を装着可能な遊技機を提供しようとするものである。
【００１０】
（請求項６）
請求項６記載の発明は、上記した請求項３乃至５記載の発明の目的に加え、次の点を目的とする。
すなわち、請求項６記載の発明は、誤作動を防止し、図柄の書き換え装置の有無に応じた処理を行うことができる遊技機を提供しようとするものである。
【００１１】
（請求項７）
請求項７記載の発明は、上記した請求項６記載の発明の目的に加え、次の点を目的とする。
すなわち、請求項７記載の発明は、図柄の書き換え作業を自動的に行うことができる遊技機を提供しようとするものである。
【００１２】
（請求項８）
請求項８記載の発明は、上記した請求項７記載の発明の目的に加え、次の点を目的とする。
すなわち、請求項８記載の発明は、書き換え後の図柄の確認作業が容易な遊技機を提供しようとするものである。
【００１３】
（請求項９）
請求項９記載の発明は、上記した請求項３乃至８のいずれか１項に記載の発明の目的に加え、次の点を目的とする。
すなわち、請求項９記載の発明は、機種交換時に最低限交換が必要な構成部品のみ交換し、機種交換に費やされる費用を削減し、資源の有効利用に寄与する遊技機を提供しようとするものである。
【００１４】
（請求項１０）
請求項１０記載の発明は、上記した請求項２又は３記載の発明の目的に加え、次の点を目的とする。
すなわち、請求項１０記載の発明は、確実に書き換え作業を行うことができる図柄の書き換え装置を提供しようとするものである。
【００１５】
【課題を解決するための手段】
（特徴点）
各請求項にそれぞれ記載された各発明は、上記した各目的を達成するためになされたものであり、各発明の特徴点を図面に示した発明の実施の形態を用いて、以下に説明する。
【００１６】
なお、符号は、発明の実施の形態において用いた符号を示し、本発明の技術的範囲を限定するものではない。
（請求項１）
請求項１記載の発明は、次の点を特徴とする。
すなわち、請求項１記載の発明は、遊技機用回転リール（２３）に貼付され、可逆記録可能な記録媒体で形成されたリールテープ（２５）の図柄の書き換え方法であって、図柄を書き換えるための可逆記録装置（６０）と、可逆記録装置（６０）の作動を制御するための制御部（６６）と、所定の図柄データを入力するための入力部（６９）とを少なくとも備え、入力された図柄データに基づいて図柄の書き換えを行うように形成された図柄の書き換え装置（９）を、回転リール（２３）の近傍に配置し、回転リール（２３）にリールテープ（２５）を貼り付けた状態で、前記前記可逆記録装置（６０）により図柄の書き換えを行うことを特徴とするリールテープの図柄の書き換え方法である。
【００１７】
本発明は、回転リールを有する遊技機、例えばスロットマシンなどに適している。
本発明において用いる「可逆記録可能な記録媒体」とは、いわゆるリライタブル感熱記録媒体として知られているものであり、所定の温度に加熱することにより発色したり色が消える特性を有する素材により形成されている。例えば、コレステリック液晶化合物や、ロイコ染料を用いたものがすでに公知である。そして、リールテープ（２５）は、上記記録媒体を用いて形成する。
【００１８】
可逆記録装置（６０）は、前記リールテープ（２５）の図柄を書き換えるためのものである。例えば、ヒートローラからなる消去ヘッド（６２）及び記録ヘッド（６１）を有し、所定の温度でリールテープ（２５）を加熱することにより、表示されている図柄を消去し、また図柄の消去された部分に、新たな図柄を記録する。
図柄の書き換え装置（９）は、上記可逆記録装置（６０）を有し、所定の図柄データを入力するための入力部（６９）及び制御部（６６）を有している。前記入力部（６９）は、外部からデータを取り込むためのものであり、データの逆送はできないようになっている。データは、例えば遊技機の制御装置（８０）や再生工場のホストコンピュータから取り込むようにしてもよいし、ＣＤ−ＲＯＭなどの記録媒体から読み込むものでもよい。制御部（６６）は、前記入力部（６９）から入力した図柄データに基づいて、可逆記録装置（６０）を制御するためのものである。
【００１９】
ここで、図柄の書き換え装置（９）は、保持体（２００）を用いて回転リール（２３）の近傍に設置することができる。すなわち、保持体（２００）に図柄の書き換え装置（９）を装着することにより、可逆記録装置（６０）によるリールテープ（２５）の図柄の書き換えが可能な位置に、図柄の書き換え装置（９）が保持されるものである。保持体（２００）としては、例えば、遊技機などに固定もしくは着脱自在に形成された枠体や、回転リール（２３）に対して移動可能に形成されたケースなどとすることができ、あるいは、再生工場において、複数の回転リール（２３）や回転リール（２３）が複数セットになっているリールユニット（２０）を設置して、一度に書き換え可能とした構造体も含むものである。
【００２０】
（作用）
リールテープ（２５）の図柄を書き換えようとするときは、回転リール（２３）からリールテープ（２５）を剥がすことなく、図柄の書き換え装置（９）を回転リール（２３）の近傍に設置、もしくは回転リール（２３）の近傍に図柄の書き換え装置（９）を設置する。そして、図柄の書き換え装置（９）に所定の図柄データを入力させ、可逆記録装置（６０）を作動させる。可逆記録装置（６０）は、リールテープ（２５）の記録層に記録されているデータを消去し、新たなデータを記録することにより、図柄の書き換えを行う。書き換えは、好ましくは、回転リール（２３）を回転させながら行うのがよい。
【００２１】
本発明によれば、機種交換などにより回転リール（２３）に表示される図柄を変更する必要がある場合、リールテープ（２５）を回転リール（２３）に貼り付けたままで図柄の書き換えができ、同じリールテープを何度も再利用できる。また、図柄を書き換えたリールテープ（２５）を回転リール（２３）に貼り付ける必要もなく、複数の回転リール（２３）がある場合に、リールテープ（２５）を貼り間違えるといったミスもおこらない。
【００２２】
（請求項２）
請求項２記載の発明は、次の点を特徴とする。
すなわち、請求項２記載の発明は、遊技機用回転リール（２３）に貼付され、可逆記録可能な記録媒体で形成されたリールテープ（２５）の図柄の書き換えに用いる図柄の書き換え装置（９）であって、図柄を書き換えるための可逆記録装置（６０）と、可逆記録装置（６０）の作動を制御するための制御部（６６）と、所定の図柄データを入力するための入力部（６９）とを少なくとも備え、入力された図柄データに基づいて、回転リール（２３）にリールテープ（２５）を貼り付けた状態で、図柄の書き換えが可能に形成されていることを特徴とする。
【００２３】
本発明は、請求項１記載の図柄の書き換え方法に用いる図柄の書き換え装置に係る。
図柄の書き換え装置（９）は、再生工場などで用いられる大型の装置も含むものであり、あるいは遊技機に装着可能な記録ユニット（８）として形成することができるものである。
【００２４】
（作用）
本発明に係る図柄の書き換え装置は、入力部（６９）から図柄データを入力し、そのデータに基づいて制御部（６６）が図柄の書き換えを行わせる。また、この図柄の書き換え装置から、遊技機の制御装置に不正なデータを送出することはできない。
【００２５】
（請求項３）
請求項３記載の発明は、次の点を特徴とする。
すなわち、請求項３記載の発明は、ドラム（２３ｃ）に複数の図柄を表示するリールテープ（２５）を貼付した回転リール（２３）と、前記回転リール（２３）の駆動を制御する回転制御手段（１３０）を少なくとも有する遊技機において、前記リールテープ（２５）を可逆記録可能な記録媒体で形成し、遊技機内部に、図柄を書き換えるための可逆記録装置（６０）と、可逆記録装置（６０）の作動を制御するための制御部（６６）と、所定の図柄データを入力するための入力部（６９）とを少なくとも備える図柄の書き換え装置（９）を着脱可能に形成した保持体（２００）と、所定の図柄データを前記を図柄の書き換え装置（９）に出力可能な出力部とを設けたことを特徴とする。
【００２６】
本発明は、請求項１記載の図柄の書き換え方法を使用でき、請求項２記載の図柄の書き換え装置を使用可能な遊技機に係る。
本発明に係る遊技機としては、例えばスロットマシンなどの回転リール（２３）を複数備えた遊技機や、演出を行わせるための回転リール（２３）を有するパチンコ機などの遊技機が挙げられる。
【００２７】
回転制御手段（１３０）は、回転リール（２３）の回転又は停止を制御するものであり、リールの回転速度を変更可能に形成してもよい。
保持体（２００）は、遊技機内、好ましくは回転リール（２３）の近傍に設けられていて、図柄の書き換え装置（９）として、例えば記録ユニット（８）を着脱可能に形成されている。すなわち、リールテープ（２５）の図柄の書き換えを行うときには図柄の書き換え装置（９）を保持体（２００）に取り付け、それ以外の時には取り外しておけるようになっているものである。具体的には、回転リール（２３）の上方に設けた箱形のケース（２１０）とすることができる。
【００２８】
遊技機の「出力部」は、書き換えに係る図柄データを図柄の書き換え装置（６）に出力可能なものであり、遊技機の制御装置（８０）を構成する制御基板に接続されたハーネス及び出力端子とすることもできるし、赤外線によるデータ送信など無線式のものであってもよい。
（作用）
本発明において、リールテープ（２５）の図柄を書き換えようとするときは、図柄の書き換え装置を保持体（２００）に装着する。それから、遊技機の出力部から所定の図柄データが図柄の書き換え装置（９）に出力され、図柄の書き換えがおこなわれる。そして、書き換えを終了したら、図柄の書き換え装置（９）を保持体（２００）から取り外す。
【００２９】
本発明によれば、機種交換などにより回転リール（２３）に表示される図柄を変更する必要がある場合、遊技機に回転リール（２３）を組み付けたまま図柄の書き換えができ、部品の分解、取り付けなどの手間がかからない。
また、本発明においては、図柄の書き換え装置（９）を保持体（２００）から着脱自在ににしているため、外された図柄の書き換え装置（９）は他の遊技機の図柄の書き換えに利用することができ、図柄の書き換え装置（９）を有効に再利用することができる。
【００３０】
（請求項４）
請求項４記載の発明は、上記した請求項３記載の発明の特徴点に加え、次の点を特徴とする。
すなわち、請求項４記載の発明は、前記保持体（２００）を、遊技機から着脱自在に形成したことを特徴とする。
【００３１】
本発明以下、請求項９記載の発明までは、請求項３記載の遊技機を限定したものである。
本発明は、保持体（２００）を、遊技機内部、例えば遊技機の筐体やリールユニット（２０）などに、クリップなどの固定装置を用いて着脱自在に取り付けたものである。
【００３２】
例えば、図柄の書き換えを遊技機の製造時（再生時）のみに行い、遊技場に設置した状態で図柄の書き換えを行わない場合には、製造時にしか使用されない保持体（２００）が遊技機に残る。このため、図柄の書き換え装置（９）が製造時にしか使用されない場合には、図柄の書き換え後に保持体（２００）を遊技機から外せるように形成したものである。
【００３３】
（作用）
本発明によれば、図柄の書き換えを行う際には保持体（２００）を遊技機に装着し、図柄の書き換え装置（９）を取り付けて図柄の書き換えを行う。書き換えが終了したら図柄の書き換え装置（９）を取り外すと共に保持体（２００）を取り外すことができる。
【００３４】
（請求項５）
請求項５記載の発明は、上記した請求項３又は４記載の発明の特徴点に加え、次の点を特徴とする。
すなわち、請求項５記載の発明は、前記保持体（２００）は、前記回転リール（２３）に対して移動可能に形成されていることを特徴とする。
【００３５】
本発明においては、保持体（２００）は、回転リール（２３）の水平方向に移動可能であっても、垂直方向に移動可能であってもよい。移動手段としては、例えばギアとラックあるいはチェーン、油圧シリンダーなどを用いることができる。
（作用）
保持体（２００）を回転リール（２３）の垂直方向に移動可能とした場合には、図柄の書き換えをおこなわない場合には、保持体（２００）を回転リール（２３）から遠ざけることができ、回転リール（２３）の回転の妨げにならない。また、保持体（２００）を回転リール（２３）の水平方向に移動可能とした場合には、回転リール（２３）が複数ある場合に、一つずつ図柄の書き換えを行うことができる。従ってこの場合には、記録ヘッド（６１）は一つあればよく、図柄の書き換え装置の構成を簡易なものとすることができる。
【００３６】
（請求項６）
請求項６記載の発明は、上記した請求項３乃至５記載の発明の特徴点に加え、次の点を特徴とする。
すなわち、請求項６記載の発明は、前記図柄の書き換え装置の装着の有無を検知するための検知手段（１５０）を設けたことを特徴とする。
【００３７】
検知手段（１５０）は、図柄の書き換え装置が保持体（２００）に装着されているのを検知可能なものであってもよいし、装着されていないのを検知可能なものであってもよい。前者の例としては、図柄の書き換え装置に設けた被検知部（１５１）をセンサ（１５２）が検知するもので、例えば磁性体と磁気センサとすることができる。後者の例としては、保持体（２００）にセンシング用孔を設け、この孔を挟んで発光部と受光部を設け、図柄の書き換え装置が装着されているときには、発光部からの光が遮光されて受光部が発光部からの信号を検知できず、装着が確認可能となるものとすることができる。
【００３８】
（作用）
本発明によれば、検知手段（１５０）の検知信号を遊技機の制御装置が受信することにより、図柄の書き換え装置の装着の有無に応じた制御、例えば前記検知信号を受信した場合には、遊技機の操作手段からの信号を無効にして遊技機を自動的に「図柄書き換えモード」にしたり、自動的に回転リール（２３）を回転させるといった制御を行うことが可能になる。
【００３９】
（請求項７）
請求項７記載の発明は、上記した請求項６記載の発明の特徴点に加え、次の点を特徴とする。
すなわち、請求項７記載の発明は、前記回転制御手段（１３０）は、前記図柄の書き換え装置を検知するための検知手段（１５０）が図柄の書き換え装置有りの検知をしている場合に、回転リール（２３）の回転速度を書き換えに適した速度に保つよう形成されていることを特徴とする。
【００４０】
（作用）
本発明によれば、図柄の書き換え装置（９）の装着により、自動的に回転リール（２３）を書き換えに適した速度で回転させることができる。
（請求項８）
請求項８記載の発明は、上記した請求項７記載の発明の特徴点に加え、次の点を特徴とする。
【００４１】
すなわち、請求項８記載の発明は、前記回転制御手段（１３０）は、前記検知手段（１５０）が図柄の書き換え装置無しの検知をした場合でも、所定期間にわたり、回転リール（２３）の回転速度を書き換えに適した速度に保つよう形成されていることを特徴とする。
「所定期間」は、所定時間（秒）としてもよいし、回転リール（２３）が所定回転数回転する間、としてもよい。ただし、書き換えられた図柄の確認作業を行う観点から、回転リール（２３）が少なくとも一回転以上する期間が望ましい。
【００４２】
（作用）
本発明によれば、図柄の書き換え装置（９）を取り外すことにより、自動的に図柄の確認作業を行うことができるとともに、自動的に回転リール（２３）停止させることができる。
（請求項９）
請求項９記載の発明は、上記した請求項３乃至８のいずれか１項に記載の発明の特徴点に加え、次の点を特徴とする。
【００４３】
すなわち、請求項９記載の発明は、前記遊技機は、正面側に開口する箱形の筐体ユニット（１）と、筐体ユニット（１）の開口部（１１）を開閉自在に塞ぐ前扉（３）と、回転リール（２３）及び駆動装置を有するリールユニット（２０）と、前記回転リール（２３）の作動を制御するための制御装置（８０）とを少なくとも有し、前記制御装置（８０）を遊技機内部に着脱自在に取り付けたことを特徴とする。
【００４４】
本発明は、制御装置（８０）を最低限交換可能に形成した遊技機に係る。なお、この遊技機は、他の構成部品、例えば、遊技メダルを貯留すると共に払い出すためのホッパーユニット（５）や、遊技機に電源を入れるため電源装置や、演出を制御するための副制御装置などを有していてもよい。
前記前扉（３）は、筐体ユニット（１）の開口部（１１）を開塞自在に取り付けられており、扉を閉めると遊技機の正面構造となるように形成されているものである。すなわち、回転リール（２３）を見ることができる表示窓（３２）や、遊技機を操作するための操作部（４１）等を設けることができるものである。なお、この前扉（３）は、筐体ユニット（１）に固定されていてもよいし、分離可能に形成されていてもよい。さらにまた、この前扉（３）は、上扉（３０）、下扉（４０）のように上下に二分割して形成することもできる。
【００４５】
リールユニット（２０）は、回転リール（２３）を複数（例えば３個）有し、各回転リール（２３）の回転軸にはこれらを回転させるための駆動モータがそれぞれ設けられている。
前記制御装置（８０）は、ＲＯＭ、ＲＡＭ、ＣＰＵ等を有する制御基板であり、基板ユニット（２４）として構成することができ、これを交換すると遊技内容を変更することができるものである。そして、制御装置（８０）は、遊技機内部に着脱自在に取り付けられている。ここで、「遊技機内部」は、前扉（３）を閉じた状態で外部から遮断される場所であって、筐体ユニット（１）の内部のみならず、前扉（３）の裏面も含むものである。
【００４６】
（作用）
本発明によれば、機種変更をするときには、前扉（３）を開けて制御装置（８０）を取り外し、新しい制御装置（８０）を取り付け、この制御装置（８０）の有する図柄データに基づいて、回転リール（２３）のリールテープ（２５）の書き換えを行う。このようにすれば、筐体ユニット（１）をはじめ、遊技内容に直接関係ない部品はそのまま再利用することがてきる。
【００４７】
（請求項１０）
請求項１０記載の発明は、上記した請求項２又は３記載の発明の特徴点に加え、次の点を特徴とする。
すなわち、請求項１０記載の発明は、前記可逆記録装置（６０）は、リールテープ（２５）の可逆記録可能な記録媒体に図柄を記録するための記録ヘッド（６１）と、記録された図柄を消去するための消去ヘッド（６２）を備え、この記録ヘッド（６１）及び消去ヘッド（６２）は、書き換え時においては前記リールテープ（２５）に接触し、非書き換え時には前記リールテープ（２５）から隔離可能に取り付けられていることを特徴とする。
【００４８】
ここで、「非書き換え時」とは、可逆記録装置（６０）が作動していない場合のことであり、図柄の書き換え装置（９）の脱着時や、書き換えた図柄をチェックするために回転リール（２３）を回転させる場合などを指す。
記録ヘッド（６１）及び消去ヘッド（６２）をリールテープ（２５）から隔離可能にとする手段としては、例えばソレノイドを設け、書き換えを行うときにはリールテープ（２５）と当接させる方向に移動させ、非書き換え時にはリールテープ（２５）と干渉しない位置まで退避させるように形成することができる。好ましくは、図柄の書き換え装置（９）を保持体（２００）に装着する際、障害とならない位置まで退避させるのがよい。
【００４９】
なお、記録ヘッド（６１）及び消去ヘッド（６２）を搭載した可逆記録装置（６０）が、図柄の書き換え装置内部で、リールテープ（２５）と接触又は隔離するような方向に移動するものとしてもよい。さらには、可逆記録装置（６０）を搭載した図柄の書き換え装置（９）が、保持体（２００）に保持された状態で、リールテープ（２５）と接触又は隔離するような方向に移動するものとしてもよい。
【００５０】
（作用）
本発明によれば、図柄の書き換えを行わないときには、可逆記録装置（６０）がリールテープ（２５）と接触しないので、可逆記録装置（６０）の記録ヘッド（６１）などが回転リール（２３）の回転を阻害することなく、またリールテープ（２５）や記録ヘッド（６１）などの摩耗も少なくすることができる。
【００５１】
【発明の実施の形態】
発明を表す好適な実施の形態を、遊技機としてスロットマシンを用いて説明する。なお、本実施の形態は、前扉と交換ユニットを交換可能に形成した分離型スロットマシンに係る。
（図面の説明）
図１乃至図１６は、本発明の実施の形態を示すものである。
【００５２】
図１はスロットマシンの分解斜視図、図２はリールユニットの斜視図、図３はリールユニットの正面図、図４は記録ユニットを装着した保持体の平面図、図５は図４のＡ−Ａ線断面図、図６はスロットマシンの縦断面図、図７は回転リールの側面図、図８及び図９は回転リール及び記録ユニットの断面図である。また、図１０はスロットマシンの入力、制御及び出力のブロック図、図１１は書き換え制御の概略を示すフローである。さらに、図１２乃至図１６は、本発明の他の実施の形態を示すリールユニットを示す図である。
【００５３】
（スロットマシンＳ）
図１は、スロットマシンＳを表す図である。
本実施の形態におけるスロットマシンＳは、図１に示すように、大きく分けて、正面側に開口部１１を有する筐体ユニット１、筐体ユニット１内部に着脱自在に設けられる交換ユニット２、筐体ユニット１の開口部１１を開閉可能に塞ぐ前扉３とから構成されており、さらにこの前扉３は、開口部１１の上側を開閉可能に塞ぐ上扉３０、開口部１１の下側を開閉可能に塞ぐ下扉４０とから構成されている。
【００５４】
（筐体ユニット１）
筐体ユニット１は、図１に示すように、底板及び側板１６及び天板及び裏板からなる正面側に開口する筺体である。そして、高さ方向略中央部には、開口部１１を開口上部１３及び開口下部１４に仕切る中板１２が水平方向に設けられている。
この中板１２の下面には、電源ユニット４が取り付けられている。電源ユニット４は、特に図示しないが電源装置が内装されていると共に、正面側にはスロットマシンＳの主電源を入れるための電源スイッチ等を有しているものである。また、底板にはホッパーユニット５が載置されている。ホッパーユニット５は、メダルを貯留するタンクを有すると共に、入賞時にメダルを払い出すためのメダル排出装置を内蔵している。
【００５５】
前記側板１６の正面左側には、前記上扉３０及び下扉４０を係合させ、回転自在に支持するための係合部６が、上下方向に間隔を置いて二個ずつ設けられている。また、この係合部６の対向側の側板１６には、突片（ロック機構７）が、上下方向に間隔を置いて二個ずつ設けられている。さらに、側板１６の内側面上方には、交換ユニット２を固定するためのクリップである固定部材１０が設けられている。
【００５６】
（交換ユニット２）
交換ユニット２は、図１に示すように、種々の部品を設置あるいは固定するための支持体２１と、この支持体２１に取り付けられたリールユニット２０と、遊技及びスロットマシンＳの作動を制御するための主基板及び各種演出を行うための副基板を含む基板ユニット２４とから形成されている。
【００５７】
前記支持体２１は、略直方体状の枠構造を有し、上部に仕切りが設けられていて、底部には前記リールユニット２０が固定されるとともに、リールユニット２０の上方には、可逆記録装置６０を搭載した記録ユニット８を装着するための保持体２００が形成されている。
また、仕切りの上部には基板ユニット２４が着脱自在に取り付けられている。例えば、特に図示しないが、支持体２１にレールを設け、一方基板ユニット２４の側面又は底面には前記レールに係合可能な溝を設け、基板ユニット２４をスライドさせて取り付けるように形成したものなどが挙げられる。なお、基板ユニット２４に内蔵されている主基板及び副基板は、後述する制御装置として機能するものである。
【００５８】
交換ユニット２は、図６に示すように、中板１２に載置され、開口上部１３に収納されるものである。そして、固定装置１０により筐体ユニット１に固着される。
（リールユニット２０）
リールユニット２０は、図１及び図３に示すように、三個の回転リール２３と、仕切板２０ａ又は側板２０ｂに固定され各回転リール２３を回転させるための三個の駆動モータＭを有している。
【００５９】
前記回転リール２３は、図７及び図８に示すように、固定部２３ａを介してモータＭの駆動軸に取り付けられており、周囲にリールテープ２５を貼付した円筒状のドラム２３ｃと、このドラム２３ｃの円筒内周部と前記固定部２３ａとを連結する連結部２３ｂとを有している。そして、モータＭの駆動軸の回転により、図２に示す矢印の方向にドラム２３ｃが回転するものである。
【００６０】
また、図６及び図７に示すように、連結部２３ｂにはスタートインデックス７１が、ドラム２３ｃの端部には複数のスリット７２が設けられ、仕切り板２０ａには前記スタートインデックス７１を検知可能なインデックスセンサ７３及び前記スリット７２を検知可能なスリットセンサ７４が、それぞれ取り付けられている。このスタートインデックス７１、スリット７２、インデックスセンサ７３及びスリットセンサ７４は、リール検知手段７０として機能するものであるが、この詳細は後述する。
【００６１】
ここで、前記リールテープ２５は、可逆記録可能な記録媒体にて形成されている。可逆記録可能な記録媒体、所謂リライタブル記録媒体と呼ばれるものとしては、例えば、コレステリック液晶化合物を用いたものや（特開２０００−３１３１７２、同２００１−３１１９３０、同２００２−１０３８１５など）、ロイコ染料などの発色剤と顕色剤を用いたもの（特開平６−７９９７０など）がある。これらは、基材の上に記録層を形成し、保護層で覆った多層構造のフィルムとして形成可能な物であり、所定の温度で所定時間加熱することにより記録層に画像表示され、温度及び加熱時間を異なるものとすると表示された画像を消去できるものである。そして、この書き換えは数百回程度繰り返して行うことができる。そして、リールテープ２５の図柄の書き換えは、後述する記録ユニット８により行われる。
【００６２】
また、図３及び図８に示すように、リールユニット２０の仕切板２０ａ又は側板２０ｂには、記録ユニット８による書き換え作業時に、回転リール２３のドラム２３ｃを内側から支持する押さえローラ２６が水平方向に張り出して設けられている。すなわち、押さえローラ２６は、ローラホルダ２７内に上方向に付勢されて係止されており、ドラム２３ｃの内周面の頂点を下方向から支持可能に形成されている。また、図８に示すように、ローラホルダ２７の下方には、ソレノイド２８が設けられていて、図柄の書き換え時にはローラ２６がドラム２３ｃの内側面に下側から当接し、非書き換え時、すなわち記録ユニット８の非装着時には、図９に示すように、ローラ２６がドラム２３ｃから退避するように形成されている。
【００６３】
ところで、回転リール２３にリールテープ２５を貼り付けたとき、端部を重ね合わせた継ぎ目の部分が生じるが、ここの部分を後述する可逆記録装置６０の記録ヘッド６１が通過する際、段差の低い部分から段差の高い部分へと移動する方向に回転リール２３が回転すると、記録ヘッド６１が損傷するおそれがある。従って、継ぎ目部分は回転リール２３の回転方向側に段差の高い部分が位置するように、リールテープ２５を貼り付けるのが望ましい。
【００６４】
（保持体２００）
保持体２００は、リールテープ２５の図柄の書き換え時に、記録ユニット８を装着するためのものである。
保持体２００は、図２に示すように、正面側に開口部２４０を有するケース２１０を有し、リールユニット２０の側板２０ｂに取り付け部２０１を介して固定されている。
【００６５】
ケース２１０の上面２２０には、図２及び図４に示すように、記録ユニット８を固定するための係止爪２２１が形成されている。この係止爪２２１は、図５に示すように、記録ユニット８のフレーム６５上面に形成された係止部６８と係合可能なものであり、上下方向に弾力性を有している。また、上面２２０の端部には、記録ユニット８の装着の有無を検知するための孔１５３（記録ユニット検知手段１５０）が設けられている。ここで、記録ユニット検知手段１５０は、図２に示すように、記録ユニット８に設けた被検知部１５１（例えば磁性体）を、保持体２００あるいは交換ユニット２の支持体２１に設けたセンサ１５２（例えば磁気センサ）が検知することにより、記録ユニット８の装着を確認するものであり、記録ユニット８が正しく装着されていないと、孔１５３を通して被検知部１５１を検出できない。
【００６６】
ケース２１０の底面２３０には、図２及び図４に示すように、記録ユニット８の可逆記録装置６０（記録ヘッド６１及び消去ヘッド６２）が突出可能な穴２３１が形成されている。なお、この穴２３１の代わりに、正面側に開口する切り欠きを設けてもよい。さらに、ケース２１０の背面側には、制御装置８０にある書き換え制御手段１４０の出力手段１４３から出力される所定のデータを、記録ユニット８に送出するための接続端子２５０が設けられている。この接続端子２５０は、図に示すように、ハーネス２５１を通して基板ユニット２４と電気的に接続している。
【００６７】
ところで、上記保持体２００には、不正防止のための封印部を設けるのが望ましい。すなわち、正規の書き換えでない図柄の書き換えが行われないようにするものである。封印部の具体例としては、例えば、センシング用の孔１５３を封印用紙でシールして、記録ユニット８を装着しても制御装置が検知できず、結果として記録ユニット８が作動しないようにすることができる。このシールは、再生工場などで正規の書き換えを行った場合に行い、ホールなどで剥がすと不正を行った形跡が残るような封印用紙を使用するとよい。
【００６８】
（記録ユニット８）
ここで、記録ユニット８の構成について詳述する。
記録ユニット８は、図２又は図３に示すように、前記保持体２００のケース２１０内に着脱自在に取り付けられ、機種交換時に、リールテープ２５の図柄を書き換えるためのものである。そして記録ユニット８は、フレーム６５の内部に、可逆記録装置６０及び制御部６６及びバッテリー６７を有している。
【００６９】
フレーム６５は方形の箱体であり、上面には保持体２００の係止爪２２１と係合可能な係止部６８が形成されていると共に、記録ユニット検知手段１５０として磁性体などからなる被検知部１５１を設けてある。
可逆記録装置６０は、図３に示すように、各回転リール２３に一個ずつ対応して設けられており、保持体２００のケース底面２３０に形成された開口部２３１から突出し、リールテープ２５の頂点付近に接触可能に形成された、記録ヘッド６１及び消去ヘッド６２を有している。記録ヘッド６１は、制御部６６から送信される図柄データに基づいて、リールテープ２５に所定の図柄を書き込むためのものであり、図６又は図７に示すように、回転リール２３の回転方向手前側に位置している。消去ヘッド６２はリールテープ２５に書き込まれている図柄を消去するためのものであり、記録ヘッド６１の奥側に位置している。
【００７０】
ここで、記録ヘッド６１及び消去ヘッド６２は、加熱ローラであって、特に図示しないが通電により発熱する発熱体が内蔵されている。そして、リールテープ２５と接触しリールテープ２５を所定の温度に加熱することにより、リールテープ２５の記録層に記録された図柄を消去し、新たな図柄を記録するものである。例えば、記録層を１２０度から１６０度で加熱することにより顕色剤が染料から分離して無職状態となり図柄が消え、記録層を１８０度で加熱することにより顕色剤が染料と溶融して発色し、その後急冷することにより発色状態が固定し、所定の図柄がテープ表面に現れる。
【００７１】
記録ヘッド６１及び消去ヘッド６２は、図３及び図６に示すように、ドラム２３ｃの回転方向と直交する方向に取り付けられ、リールテープ２５の外周面の頂点を上方向から押圧可能に形成されている。具体的には、記録ヘッド６１及び消去ヘッド６２は、図７又は図８に示すように、ヘッドホルダ６３内に下方向に付勢されて係止されており、ヘッドホルダ６３の下方に設けられたソレノイド６４により、図柄の書き換え時には記録ヘッド６１及び消去ヘッド６２がドラム２３ｃの外側面に上側から当接し、非書き換え時、すなわち可逆記録装置６０の非作動時には、図９に示すように、記録ヘッド６１及び消去ヘッド６２がリールテープ２５から退避するように形成されている。
【００７２】
なお、図７乃至図９に示すように、リールテープ２５及びドラム２３ｃを挟んで、記録ヘッド６１及び消去ヘッド６２と相対向する位置に、押さえローラ２６が設けられており、図柄書き換え時には、記録ヘッド６１及び消去ヘッド６２の圧力を押さえローラ２６が下方から支えるようになっている。
制御部６６は、制御装置８０からの信号を入力し、可逆記録装置６０を作動させるためのものである。具体的には、制御部６６は、図２又は図３に示すように、書き込み制御手段１４０の出力手段１４１から出力された書き換え決定信号及び図柄データを入力する入力部６９を有し、この入力部６９から所定の信号が入力されることにより、上記ソレノイド６４を作動させて消去ヘッド６２及び記録ヘッド６１をリールテープ２５と接触させ、所定の図柄の書き換えを行わせる。
【００７３】
なおここで、入力部６９は、保持体２００の接続端子２５０と接続することによりデータを入力のみ可能なものであり、記録ユニット８側から外部にデータを出力する機能を有しない。これは、記録ユニット８を通じて、制御装置８０に対する不正なデータ書き換えが行われないようにするものである。
バッテリー６７は、記録ユニット８の主電源であり、記録ユニット８を装着した際、遊技機側から電源をとる必要がないようにするために設けてある。
【００７４】
上記記録ユニット８を保持体２００に装着する場合には、開口部２４０から記録ユニット８を押入する。奥まで押し入れると、係止爪２２１が係止部６８と係合して保持体２００に固定される。このとき、接続端子２５０と入力部とが電気的に接続し、データの受信が可能となる。また、被検知部１５１が保持体２００の孔１５３の位置にくるので、センサ１５２により検知可能となる。記録ユニット８を保持体２００から取り外す場合には、係止爪２２１を上方向に引き上げて係止部６８との係合を外し、記録ユニット８を手前に引き抜けばよい。なお、特に図示しないが、脱着作業を容易に行うため、フレーム６５の正面側に取手をつけてもよい。
【００７５】
（上扉３０）
上扉３０は、筐体ユニット１の側板１６に回転自在かつロック可能に形成されていた板状の扉であり、筐体ユニット１に着脱自在に取り付けられている。そして、図１に示すように、略中央部に前記回転リール２３の図柄を正面側から見ることができる図柄表示窓３１を有し、周囲に飾り部３２を設けてある。そして、種々の表示を行うための表示装置３３が設けられているものである。
【００７６】
ここで、前記飾り部３２は、ランプ等により形成しても良く、入賞の報知その他の演出時にランプが点滅するようにしてもよい。また、前記表示装置３３は、７セグメントＬＥＤ等により数字を表示するものや、特に図示しないが、画像を表示するための液晶画面あるいはＣＲＴなどとしてもよい。
さらに、特に図示しないが、上扉３０の裏面には、前記筐体ユニット１に設けられた係合部６に係合可能な上扉係合部が上下方向に間隔をおいて二つ設けられており、上扉係合部の対向側には、筐体ユニット１の突片と係合可能な係合片を有するロック機構７が設けられている。
【００７７】
なお、交換ユニット２と上扉３０は同時に交換するのが通常であるため、上扉３０を交換ユニット２に取り付けた構成としてもよい。
（下扉４０）
下扉４０は、筐体ユニット１の開口下部１４を塞ぐための、上扉３０よりも幅厚の扉であり、筐体ユニット１の側板１６に回転自在かつロック可能に形成されているものである。そして、筐体ユニット１に着脱自在に取り付けられている。
【００７８】
下扉４０の上部は、図１に示すように、スロットマシンを作動させるための操作部４１となっており、下扉４０の上面は、閉扉時においては、上扉３０よりも前側に突出するようになっている。操作部５０には、回転リール２３の回転を開始させるためのスタートスイッチ５４や、回転リール２３の回転を停止させるためのストップスイッチ５５、クレジットをメダル投入に代えるためのベットスイッチ５２、クレジットをキャンセルするための精算スイッチ５３などが設けられている。また、下扉４０の上面右側には、メダルを投入するためのメダル投入口４２が設けられている。
【００７９】
さらに、下扉４０の下部には、メダルを払い出すためのメダル排出口及び払い出されたメダルを溜めておくためのメダル受け皿４３が形成されており、前記操作部４１とメダル受け皿４３との間には、遊技内容その他の表示をするための表示パネル４５が取り付けられている。なお、表示パネル４５を、下扉４０から着脱自在に形成してもよい。
【００８０】
また、下扉４０の上部右端には、鍵穴４４が設けられている。鍵穴４４は、前扉３を解錠するためのものであり、この穴に所定の鍵を差し込んで回すと、下扉４０のロックが解除されるものである。そして、下扉４０が解錠されることにより、上扉３０も解放可能に形成されている。
さらに、特に図示しないが、下扉４０の裏面側には、メダル投入口４２から投入されたメダルを適正にホッパーユニット５に送り出すためのメダルセレクターや、種々の音声を出力するためのスピーカが設けられている。また、下扉４０の裏面には、筐体の係合部６と係合可能な下扉係合部が上下方向に間隔をおいて二つ設けられており、下扉係合部の対向側には、ロック機構７が設けられている。ロック機構７の構成は、上扉３０のものとほぼ同様である。
【００８１】
なお、機種交換時には、下扉４０全体を交換してもよいし、表示パネル４５のみを交換してもよい。
（制御装置８０）
制御装置８０は、ＣＰＵを中心に構成され、ＲＯＭ、ＲＡＭ、Ｉ／Ｏ等を備えている。ここでＣＰＵは、一個に限定されず、二個以上のＣＰＵで制御するようにしてもよい。また、ＣＰＵ、ＲＯＭ、ＲＡＭ及びＩ／Ｏ等は一体化されてワンチップを構成してもよい。そして、ＣＰＵがＲＯＭに記憶されたプログラムを読み込むことで、次の（１）及び（２）の装置を構成する。
【００８２】
（１）遊技制御装置８１
（２）演出制御装置８２
遊技制御装置８１は、スタートスイッチ５４及びストップスイッチ５５の操作により、回転リール２３の回転及び停止を制御するためのものである。この遊技制御装置８１の詳細については後述する。
【００８３】
演出制御装置８２は、ランプやスピーカ等の表示装置３３を制御するためのものである。
（入力段）
上記制御装置８０の入力段には、図１０に示すように、次のパーツが接続されている。
【００８４】
（１）投入スイッチ５１
（２）ベットスイッチ５２
（３）精算スイッチ５３
（４）スタートスイッチ５４
（５）ストップスイッチ５５
（６）リール検知手段７０
（７）記録ユニット検知手段１５０
ここで、投入スイッチ５１は、特に図示しないが、メダル投入口４２の下方に内蔵されたスイッチであって、投入された遊技メダルを検知するためのものである。
【００８５】
なお、入力段としては、上記した（１）乃至（７）のパーツに限定されるものではない。
（出力段）
前記制御装置８０の出力段には、図１０に示すように、次のパーツが接続されている。
【００８６】
（１）ホッパーユニット５
（２）リールユニット２０
（３）表示装置３２，３３
なお、出力段としては、上記した（１）乃至（３）のパーツに限定されるものではない。
【００８７】
なお、記録ユニット８がリールユニット２０に取り付けられた保持体２００に装着されている場合であって、所定条件を満たす場合には、制御装置８０（書き換え制御手段１４０の出力手段１４３）から所定のデータが出力可能となっている。
（遊技制御装置８１）
次に、遊技制御装置８１について詳述する。
【００８８】
遊技制御装置８１は、スタートスイッチ５４及びストップスイッチ５５の操作により、回転リール２３の回転及び停止を制御するためのものである。そして、この遊技制御装置８１は、次の（１）乃至（６）の手段として機能する。
（１）通常遊技制御手段９０
（２）特別遊技制御手段１００
（３）当選抽選手段１１０
（４）リール位置認識手段１２０
（５）回転制御手段１３０
（６）書き換え制御手段１４０
なお、遊技制御装置８１としては、上記した（１）乃至（６）の手段に限定されるものではなく、他の手段を含んでいても良い。
【００８９】
（通常遊技制御手段９０）
通常遊技制御手段９０は、通常遊技を行わせるためのものである。
すなわち、メダルの投入若しくはベットスイッチ５２の押下を条件に、または、「再遊技（Ｒｅｐｌａｙ）」時には前遊技から所定時間経過を条件に、スタートスイッチ５４を操作すると、モータＭが駆動され、三個の回転リール２３が回転を開始する。
【００９０】
その後、ストップスイッチ５５の一個を操作すると、当該対応する回転リール２３の回転が停止する。
そして、ストップスイッチ５５を三個全て操作し終わると、三個の回転リール２３の回転が全て停止する。このとき、入賞有効ライン上に、所定の図柄が入賞の態様に揃うと、ホッパーユニット５を介して所定枚数のメダルが払い出される。なお、メダルを払い出す代わりに、クレジットしても良い。
【００９１】
（特別遊技制御手段８０）
特別遊技制御手段８０は、抽選手段の抽選結果に基づいて、遊技者に有利な特別遊技を行わせるためのものである。
上記特別遊技としては、大別すると、特定導入遊技（ＢＢゲーム）、特定遊技（ＲＢゲーム）、特定当選遊技（ＪＡＣゲーム）がある。なお、特定遊技、例えばＲＢゲームは、特定導入遊技、例えばＢＢゲーム中に行われる場合と、ＢＢゲーム中でないときにも単独で行われる場合がある。また、上記特定当選遊技、いわゆるＪＡＣゲームは、ＲＢゲーム中に行われるものである。また、特別遊技としては、上記遊技に限定されるものではない。
【００９２】
（当選抽選手段１１０）
当選抽選手段１１０は、予め定めた抽選確率に基づいて当選役に係わる抽選を行うものである。そして、当選抽選手段１１０による抽選の結果、所定の当選役に当選である場合に当選フラグが成立し、この当選フラグ成立中に、回転リール２３の停止図柄の組み合わせが予め定められた当選図柄と一致したことを条件に入賞し、遊技者にメダルの払い出しや、特別遊技等の利益が付与されるように設定されている。
【００９３】
当選には、入賞により遊技メダルの払い出しを伴い、遊技者に利益を付与する小役当選と、この小役当選よりもさらに大きな利益を遊技者に付与する特別当選と、遊技メダルの払い出しは無いが、遊技メダルを新たに投入することなく再度の遊技を行うことができる「再遊技（Ｒｅｐｌａｙ）」とを備えている。そして、抽選結果がいずれかの役に当選となった場合、その当選に対応した当選フラグが成立する。
【００９４】
（リール位置認識手段１２０）
リール位置認識手段１２０は、リール検知手段７０からの信号に基づき、回転リール２３の現在位置を把握するためのものである。
具体的には、リール位置認識手段１２０は、特に図示しないが、スリットセンサ７４から受信した信号をカウントするカウント手段と、スリット７２の個数を全領域として回転リール２３上に配列された図柄の各領域を規定した図柄判定テーブルを有している。前記カウント手段は、スタートインデックス７１をインデックスセンサ７３が検知した信号を受信するたびにカウント値をゼロクリアして、スリット７２の検知信号をカウントする。そして、カウント値に応じた図柄判定テーブル上に規定された領域を、所定位置（例えば入賞有効ライン、記録ユニット８の記録ヘッド６１又は消去ヘッド６２の位置）にある図柄、又は図柄の範囲として認識するものである。
【００９５】
なお、リール位置認識手段１２０の認識した回転リール２３の現在位置に関するデータは、後述する回転制御手段１３０及び書き換え制御手段１４０に出力される。
ところで、回転リール２３に対応する所定位置の特定は、例えば回転リール２３を回転させるステッピングモータの回転ステップ数を所定の基準点からカウントし、基準点からのステップ数と図柄の位置を規定したステップ単位テーブルとを比較することにより行うことができる。ここで、「ステップ数」とは、ステッピングモータが回転するためのパルス発信回数のことであり、「ステップ」は１パルスで回転リール２３が回転する角度を意味する。具体的には、「１ステップ」は、ステッピングモータの全ステップ数を３６０で除した角度に対応する。従って、一の図柄位置から他の図柄位置までの回転角度は、二つの図柄間のステップ数に１ステップに対応する角度を乗じて算出することができる。
【００９６】
前述した、スリット７２を用いて図柄位置を判定する場合、一つの図柄の範囲を正確に把握するためには、スリット数を多くする必要がある。しかし、ステップ数を用いて図柄位置を特定する場合には、スリット７２を大量に設けなくとも、図柄の範囲を正確に把握することができるものである。
（回転制御手段１３０）
回転制御手段１３０は、リールユニット２０のモータＭの駆動を制御するためのものであり、停止制御手段１３１及び回転速度変更手段１３２を有している。
【００９７】
（停止制御手段１３１）
停止制御手段１３１は、当選抽選手段１１０の抽選結果及びリール位置確認手段１２０からの図柄現在位置データに基づいて、ストップスイッチ５５の操作による回転リール２３の停止を制御するためのものである。
すなわち、抽選において何らかの当選役が当選したときには、その当選に対応した図柄（当選図柄）が極力所定位置に停止するように、それ以外の図柄が停止しないように制御を行い、抽選結果が「ハズレ」のときには、いかなる当選図柄も入賞の態様に停止しないように、回転リール２３を停止させるのである。
【００９８】
停止制御では、まず、停止させてはいけない図柄を停止させないように制御（いわゆる蹴飛ばし）をし、ついで停止させるべき図柄を停止させるような制御（いわゆる引き込み）を行う。これらの制御は、当選フラグの有無に基づいて行われる。
また、いずれかの当選フラグが成立中に、対応する当選図柄を入賞有効ライン上に揃えることができるか否かは、ストップスイッチ５５の操作タイミングによるものである。具体的には、ストップスイッチ５５を操作した後、１９０ｍｓ以内に回転リール２３が停止するように設定されているため、ストップスイッチ５５を操作した後、そのまま停止させるか、或いは１９０ｍｓ以内に停止可能な回転リール２３の円周上の引き込み可能図柄、例えば停止図柄から連続する４個の引き込み可能図柄の中に、対応する入賞図柄が含まれているような場合には、停止するまでの時間を遅らせて、回転リール２３は入賞有効ライン上にその当選図柄を引き込んで停止する。一方、かかる４個の引き込み可能図柄の中に、対応する当選図柄が含まれていないような場合には、入賞有効ライン上にその当選図柄を引き込んで停止することができない。
【００９９】
（回転速度変更手段１３２）
回転速度変更手段１３２は、以下に述べる書き換え制御手段１４０からの信号を受信して、回転リール２３の回転速度を変更するためのものである。
回転速度変更手段１３２は、通常の遊技時においては、回転リール２３を第一の速度にて回転させる。そして、書き換え制御手段１４０から速度変更指令を受信した場合には、回転リール２３を第二の速度で回転させると共に、所定時に停止させるものである。
【０１００】
ここで、第二の速度は、記録ユニット８を用いたリールテープ２５の図柄の書き換えに適した速度であり、この第二の速度で回転中に可逆記録装置６０を作動させることにより、適正な可逆記録が行われる。さらに、回転速度変更手段１３２は、可逆記録終了後も所定時間（例えば回転リールが１〜２回転する間）にわたり、第二の速度で回転リールを回転させるように形成されている。これは、書き換えられた図柄のチェックを行うためである。
【０１０１】
（書き換え制御手段１４０）
書き換え制御手段１４０は、機種交換時にリールテープ２５の図柄の書き換えを行わせるためのものであり、以下の（１）乃至（３）の手段を有している。
（１）記録開始確認手段１４１
（２）記録終了確認手段１４２
（３）出力手段１４３
（記録開始確認手段１４１）
記録開始確認手段１４１は、記録ユニット８の装着の有無又は後述する記録終了フラグの有無に基づいて、図柄の書き換えを行うための制御を開始させるためのものである。
【０１０２】
具体的には、記録開始確認手段１４１は、記録ユニット検知手段１５０が記録ユニット８を適正に検知した場合に、図柄の書き換えのための制御を行わせる。すなわち、センサ１５２が記録ユニット８の被検知部１５１を検出した信号を受信して、回転制御手段１３０に回転速度変更指令を出力する。この信号に基づき、回転制御手段１３０は回転リール２３を第二の速度で回転させる。そして、所定の図柄データを出力手段１４３から記録ユニット８に出力し、リール位置認識手段１２０からのリール位置情報に基づいて、図柄の書き換えを行わせる。また、記録ユニット検知手段１５０が記録ユニット８を検知しない場合には、記録終了フラグの有無に基づいて、回転制御手段１３０に回転速度変更指令を出力する。
【０１０３】
ここで、記録ユニット８に出力する図柄データは、特に図示しないが、制御装置内に設けた図柄データ記憶手段が記憶させておくことができる。ただ、機種交換の際一度しか使わないデータであるので、制御装置８０のメモリ容量が限られていることに鑑み、例えば基板ユニット２４に所定の入力部（記録媒体のスロット）を設け、所定の記録媒体から図柄データを読み込むようにしてもよい。
【０１０４】
（記録終了確認手段１４２）
記録終了確認手段１４２は、リール位置認識手段１２０からのリール位置情報に基づいて、図柄の書き換えを行うための制御を終了させ、書き換え終了の確認を行うためのものである。
具体的には、記録終了確認手段１４２は、回転リール２３が所定の角度、例えば一回転（３６０度）した場合に、回転制御手段１３０に回転速度変更指令を出力する。この信号に基づき、回転制御手段１３０は回転リール２３を停止させる（速度をゼロとする）。そして、記録終了フラグをセットして、図柄の書き換えが終了したことを記憶しておく。この記録終了フラグがセットされている場合には、記録ユニット８を取り外してから所定時間、例えば回転リール２３が一回転する間、回転制御手段１３０が回転リール２３を第二の速度で回転させるように形成されている。
【０１０５】
（出力手段１４３）
出力手段１４３は、前記記録開始確認手段１４１の決定に基づき、書き換えの決定信号を回転速度変更手段１３２及びリールユニット２０に出力すると共に、所定の図柄データを記録ユニット８に出力するためのものである。記録ユニット８に出力するデータは、ハーネス２５１を通して出力端子２５０から記録ユニット８の入力部６９へと送出される。
【０１０６】
書き換えの決定信号を受信した回転速度変更手段１３２は、回転リール２３の回転速度を第二の速度となるように、モータＭの駆動を制御する。また、リールユニット２０のソレノイド２８を作動させて、押さえローラ２６をドラム２３ｃの内側面下側に当接させ、書き換え時にドラム２３ｃを下方から支持させる。また、記録ユニット８の制御部６６は、入力部６９から図柄データを入力し、可逆記録装置６０を作動させてリールテープ２５の図柄を書き換えさせる。
【０１０７】
（図柄の書き換え）
次に、制御装置８０と記録ユニット８によるリールテープ２５の図柄書き換え制御の概略について、図１１に示したフローを用いて説明する。
先ず、図１１に示すステップ１００において、記録ユニットありかどうかを判断する。すなわち、記録ユニット検知手段１５０が記録ユニット８を検知しているかどうかを判断する。記録ユニットありの場合、すなわち保持体２００に記録ユニット８が装着されている場合には、次のステップ１０１に進む。
【０１０８】
ステップ１０１において、回転リール２３を第二の速度で回転させる。すなわち、回転速度変更手段１３２が、リールテープ２５の書き換え・消去ヘッド６１，６２に対する移動速度が、書き換えに適した速度となるようにモータＭの駆動を調節する。そして、次のステップ１０２に進む。
ステップ１０２において、インデックスセンサ７３がスタートインデックス７１を検知したかどうかを判断する。スタートインデックス７１を検知しない場合には、ステップ１０２に戻る。スタートインデックス７１を検知した場合には、次のステップ１０３に進む。
【０１０９】
ステップ１０３において、図柄位置の特定を開始する。これは、換言すれば回転リール２３の回転角度の特定である。具体的には、リール位置認識手段１２０が、スタートインデックス７１を検知してから、スリットセンサ７４が回転リール２３に設けられたスリット７２をいくつ検知したかに基づき、あるいは、スタートインデックス７１を検知してから、ステッピングモータの回転ステップ数が何ステップ目かに基づいて、図柄の現在位置の特定を行う。そして、次のステップ１０４に進む。
【０１１０】
ステップ１０４において、前記ステップ１０３において特定した図柄位置に基づいて、図柄の消去及び記録を行う。すなわち、回転リール２３の所定位置が書き換え開始位置に到達したら、可逆記録装置６０を作動させて記録ヘッド６１及び消去ヘッド６２をリールテープ２５に当接させるとともに、押さえローラ２６をリールテープ２５の裏面から支持させる。そして、既表示の図柄を消去すると共に、記録ユニット８に入力された図柄データに基づいて新しい図柄を記録してゆく。そして、次のステップ１０５に進む。
【０１１１】
ステップ１０５において、インデックスセンサ７３がスタートインデックス７１を検知したかどうかを判断する。スタートインデックス７１を検知しない場合には、ステップ１０３に戻る。スタートインデックス７１を検知した場合には、回転リール２３が一回転したことを意味するものであり、リールテープ２５に表示されるべき図柄をすべて書き換えたことを意味する。そして、次のステップ１０６に進む。
【０１１２】
ステップ１０６において、回転リール２３を停止させる。すなわち、回転速度変更手段１３２が、回転速度がゼロとなるようにモータＭの駆動を調節する。そして、次のステップ１０７に進む。
ステップ１０７において、記録終了フラグをセットする。すなわち、記録終了確認手段１４３が、リールテープ２５の図柄が書き換え済みであることを記憶しておくメモリにビットを立てる。そして、図柄の書き換え制御を終了する。
【０１１３】
前記ステップ１００において、記録ユニットありと判断しなかった場合、すなわち、すなわち保持体２００に記録ユニット８が装着されていない場合、もしくは記録ユニット８が適正な位置に装着されていない場合には、次のステップ１０８に進む。
ステップ１０８において、記録終了フラグ有りかどうかを判断する。記録終了フラグ有りの場合には、次のステップ１０９に進む。
【０１１４】
ステップ１０９において、回転リール２３を第二の速度で回転させる。これは、書き換えを終了したリールテープ２５の図柄を確認し、消去漏れや記録の不良がないかどうかをチェックするためのものである。このステップにより、図柄を書き換え後、保持体２００から記録ユニット８を取り外すと、自動的に回転リール２３が第二の速度で回転することとなり、図柄確認のため人が手でリールを回す必要がない。そして、次のステップ１１０に進む。
【０１１５】
ステップ１１０において、インデックスセンサ７３がスタートインデックス７１を検知したかどうかを判断する。スタートインデックス７１を検知しない場合には、ステップ１１０に戻る。スタートインデックス７１を検知した場合には、ステップ１１１に進む。
ステップ１１１において、図柄位置の特定を開始する。そして、次のステップ１１２に進む。
【０１１６】
ステップ１１２において、インデックスセンサ７３がスタートインデックス７１を検知したかどうかを判断する。スタートインデックス７１を検知しない場合には、ステップ１１１に戻る。スタートインデックス７１を検知した場合には、回転リール２３が一回転したことを意味する。そして、次のステップ１１３に進む。
ステップ１１３において、回転リール２３を停止させる。そして、次のステップ１１４に進む。
【０１１７】
ステップ１１４において、記録終了フラグをリセットする。記録終了フラグをリセットすることで、書き換えた図柄を確認終了済みであることがわかる。そして、図柄の書き換え制御を終了する。
前記ステップ１０８において、記録終了フラグ有りでない場合には、ステップ１０９からステップ１１４を飛び越して、図柄の書き換えを終了する。すなわち、記録ユニット８が保持体２００に装着されておらず、記録終了フラグがない場合には、回転リール２３を回転させることなく、そのまま図柄の書き換え制御を終了する。
【０１１８】
このように、上記制御によれば、記録ユニット８を装着することにより自動的に図柄の書き換えが行われ、記録ユニット８を取り外せば、回転リール２３を第二の速度で一回転させたあと、書き換え制御が終了する。なお、記録ユニット８が適正な位置に装着されていない場合には、ステップ１００において記録ユニットなしと判断され、ステップ１０８に進む。書き換えが終了していない段階では、書き換え制御装置１４０は記録終了フラグをセットしていないので、ステップ１０８からそのまま図柄の書き換え制御が終了となる。すなわち、装着不十分の場合には、記録ユニット８が作動しないものである。
【０１１９】
（スロットマシンの機種交換と部品の再利用）
以上のような構成を有するスロットマシンＳについて、機種交換を行う場合について述べる。
機種交換を行う場合、ホールにおいては上扉３０及び下扉４０（あるいは表示パネル４５）及び交換ユニット２を取り外して、新しいものと交換するだけでよい。このとき、筐体ユニット１と、電源ユニット４及びホッパーユニット５はそのまま残しておくことができる。従って、交換に費やされる労力や費用を大幅に削減できるものである。
【０１２０】
さて、筐体ユニット１から取り外された交換ユニット２は、通常再生工場へと運ばれ、そこで新たな交換ユニット２として作り替えられる。交換ユニット２に搭載されている基板ユニット２４は、着脱自在の構成となっているため、簡単に取り外すことができる。新しい機種用の基板ユニット２４を取り付け後、保持体２００に記録ユニット８を装着して、リールテープ２５の書き換えを行う。このさい、回転リール２３をリールユニット２０から取り外す必要もなく、リールテープ２５を回転リール２３から剥がす必要もない。また、リールテープ２５を所定位置に合わせて貼り付ける手間もない。
【０１２１】
このように、再生工場に置いても、作業行程を大幅に短縮でき、経費節減に役立つと共に、各リール用に図柄が表示されたリールテープ２５を間違えて装着するミスも防ぐことができる。さらに、リールテープ２５は何回も繰り返して使用可能なので、資源の有効利用、ゴミの減量化にも資するものである。
（他の実施の形態）
ところで、上述した実施の形態においては、記録ユニット８は三個の可逆記録装置６０を有し、三個の回転リール２３について同時に図柄の書き換えが可能なものであったが、図１２に示すように、可逆記録装置６０を一つ搭載した記録ユニット８を、保持体２００の各回転リール２３に対応する位置に順次装着して書き換えを行うものであってもよい。この場合、記録ユニット８が保持体２００の開口部２４０内を横方向に自動的に移動するように形成すれば、作業が楽である。例えば、特に図示しないが、保持体２００に回転リール２３の回転と連動したギア・ラック、ギア・チェーンなどを設ける。
【０１２２】
あるいは、図１３に示すように、保持体２００が回転リール２３の上方を水平方向に移動可能に形成してもよい。この場合には、記録ユニット８を装着した保持体２００が、リールユニット２０の上面に設けた移動用レール２０ｃを移動する。
また、特に図示しないが、保持体２００が回転リール２３の上方を垂直方向に移動可能に形成してもよい。この場合には、例えば非書き換え時には保持体２００は上方にあり、記録ユニット８を装着したすると、記録ヘッド６１がリールテープ２５に当接する好適な位置まで、保持体２００が下降するように形成する。このように形成すると、可逆記録装置６０にソレノイド６４を設ける必要が無くなるので、記録ユニット８を簡素化することができる。
【０１２３】
さらに、図１４に示すように、保持体２００をリールユニット２０に着脱自在に取り付けてもよい。すなわち、保持体２００の側面又はリールユニット２０の側面に取り付けられたクリップ又はフックと、リールユニット２０の側面又は保持体２００の側面に取り付けられたフック又はクリップとを係合させることにより、保持体２００をリールユニット２０に固定し、係合を外すことにより取り外せるようにしたものである。このように形成すれば、図柄の書き換えが終了すればもはや用のない保持体２００を撤去でき、遊技機内部が広く使える。
【０１２４】
また、上述のスロットマシンは、交換ユニット２に制御装置である主基板を搭載し、交換ユニット２を交換するものであったが、リールユニット２０及び保持体２００は筐体内に残したまま、基板ユニット２４のみを交換するようにしてもよい。この場合には、各ホールにおいて、リールテープ２５の図柄の書き換えを行うこととなる。
【０１２５】
さらに、特に図示しないが、前扉３（望ましくは上扉３０）の裏面に基板ユニット２４を取り付け、前扉３（上扉３０）を交換可能に形成してもよい。このようにすれば、遊技の変更に伴うスロットマシンの正面デザインも同時に変更できる。この場合も、各ホールにおいて、リールテープ２５の図柄の書き換えを行う。
一方、各ホールから収集された古い交換ユニット２を、再生工場において新機種用に再生する場合を考えると、一度にたくさんの回転リール２３の図柄の書き換えができた方がより作業効率が高い。そこで、例えば、図１５に示すように、複数（リールユニット２０に装着されている回転リール２３の個数）の記録ヘッド６１及び消去ヘッド６２を有する可逆記録装置６０を、複数個搭載した図柄の書き換え装置９を保持体２０２で保持し、図柄の書き換え装置９の下方に複数の交換ユニット２（又はリールユニット２０）を並べておき、一度に図柄の書き換えを行うようにしてもよい。この場合、図柄データは工場のホストコンピュータから送信されるようにすればよい。
【０１２６】
なお、上記した実施の形態及び他の実施の形態は、分離型スロットマシンに対応する例として述べてきたが、本発明は分離型でないスロットマシンについても使用できる。さらには、スロットマシン以外の遊技機についても、使用できるものである。
また、回転リール２３を単数有する遊技機において、回転リール２３のみを交換する場合もある。かかる場合には、例えば図１６に示すように、回転リール２３を直接取り付けて図柄の書き換えが可能な図柄の書き換え装置９を用いてもよい。すなわち、保持体２０３に回転軸を有するモータを取り付けると共に、可逆記録装置６０を有する図柄の書き換え装置９を水平方向に張り出すように取り付け、回転軸に回転リール２３を装着して回転させながら、図柄の書き換えを行うものである。
【０１２７】
【発明の効果】
本発明は、以上のように構成されているので、以下に記載されるような効果を奏する。
（請求項１）
請求項１記載の発明によれば、次のような効果を奏する。
【０１２８】
すなわち、請求項１記載の発明によれば、リールテープを再利用可能とし、資源の有効利用を図ると共に、リールテープの誤装着を防止し、書き換え作業が簡単に行えるリールテープの図柄の書き換え方法を提供することができる。
（請求項２）
請求項２記載の発明によれば、次のような効果を奏する。
【０１２９】
すなわち、請求項２記載の発明によれば、請求項１に記載した発明に係る方法に使用する図柄の書き換え装置であって、ＲＯＭを書き換えるなどの不正行為が行われない図柄の書き換え装置を提供することができる。
（請求項３）
請求項３記載の発明よれば、次のような効果を奏する。
【０１３０】
すなわち、請求項３記載の発明によれば、請求項１記載の発明に係る方法に使用し、また請求項２記載の発明に係る図柄の書き換え装置を使用する遊技機であって、リールテープを回転リールに貼り付けたまま図柄の書き換えが可能で、リールテープの誤装着を防止し、書き換え作業が簡単にできる遊技機を提供することができる。
【０１３１】
（請求項４）
請求項４記載の発明によれば、上記した請求項３記載の発明の効果に加え、次のような効果を奏する。
すなわち、請求項４記載の発明によれば、図柄の書き換え後、遊技機に不要な部分を残さないようにすることができる。
【０１３２】
（請求項５）
請求項５記載の発明によれば、上記した請求項３又は４記載の発明の効果に加え、次のような効果を奏する。
すなわち、請求項５記載の発明によれば、簡易な構成の図柄の書き換え装置を装着可能な遊技機を提供することができる。
【０１３３】
（請求項６）
請求項６記載の発明によれば、上記した請求項３乃至５のいずれか１項に記載の発明の効果に加え、次のような効果を奏する。
すなわち、請求項６記載の発明によれば、誤作動を防止し、図柄の書き換え装置の有無に応じた処理を行うことができる遊技機を提供することができる。
【０１３４】
（請求項７）
請求項７記載の発明によれば、上記した請求項６記載の発明の効果に加え、次のような効果を奏する。
すなわち、請求項７記載の発明によれば、図柄の書き換え作業を自動的に行うことができる遊技機を提供することができる。
【０１３５】
（請求項８）
請求項８記載の発明によれば、上記した請求項６記載の発明の効果に加え、次のような効果を奏する。
すなわち、請求項８記載の発明によれば、書き換え後の図柄の確認作業が容易な遊技機を提供することができる。
【０１３６】
（請求項９）
請求項９記載の発明によれば、上記した請求３乃至８のいずれか１項に記載の発明の効果に加え、次のような効果を奏する。
すなわち、請求項９記載の発明によれば、機種交換時に最低限交換が必要な構成部品のみ交換し、機種交換に費やされる費用を削減し、資源の有効利用に寄与する遊技機を提供することができる。
【０１３７】
（請求項１０）
請求項１０記載の発明によれば、上記した請求項２又は３記載の発明の効果に加え、次のような効果を奏する。
すなわち、請求項１０記載の発明によれば、確実に図柄の書き換え作業を行うことができる図柄の書き換え装置を提供することができる。
【図面の簡単な説明】
【図１】本発明の実施の形態であって、スロットマシンの分解斜視図である。
【図２】本発明の実施の形態であって、リールユニット及び記録ユニットを示す斜視図である。
【図３】本発明の実施の形態であって、リールユニット及び記録ユニットの正面断面図である。
【図４】本発明の実施の形態であって、記録ユニットを装着した保持体の平面図である。
【図５】本発明の実施の形態であって、図４におけるＡ−Ａ線断面図である。
【図６】本発明の実施の形態であって、スロットマシンの縦断面図である。
【図７】本発明の実施の形態であって、回転リールの側面図である。
【図８】本発明の実施の形態であって、書き換え時の回転リール及び可逆記録装置の断面図である。
【図９】本発明の実施の形態であって、非書き換え時の回転リール及び可逆記録装置の断面図である。
【図１０】本発明の実施の形態であって、スロットマシンの入力、制御及び出力を示すブロック図である。
【図１１】本発明の実施の形態であって、書き換え制御の概略を示すフローである。
【図１２】本発明の他の実施の形態であって、リールユニット及び記録ユニットの概略斜視図である。
【図１３】本発明の他の実施の形態であって、リールユニット及び記録ユニットの概略斜視図である。
【図１４】本発明の他の実施の形態であって、リールユニット及び記録ユニットの概略斜視図である。
【図１５】本発明の他の実施の形態であって、図柄の書き換え装置の他の例を示す概略図である。
【図１６】本発明の他の実施の形態であって、図柄の書き換え装置の他の例を示す概略図である。
【符号の説明】
Ｓ　スロットマシン　　　　　　　　　Ｍ　モータ
１　筐体ユニット　　　　　　　　　　２　交換ユニット
３　前扉　　　　　　　　　　　　　　４　電源ユニット
５　ホッパーユニット　　　　　　　　６　係合部
７　ロック機構　　　　　　　　　　　８　記録ユニット
９　図柄の書き換え装置
１０　固定部材　　　　　　　　　　　　１１　開口部
１２　中板　　　　　　　　　　　　　　１３　開口上部
１４　開口下部　　　　　　　　　　　　１６　側板
２０　リールユニット　　　　　　　　　２０ａ　仕切板
２０ｂ　側板　　　　　　　　　　　　　　２０ｃ　移動用レール
２１　支持体　　　　　　　　　　　　　２３　回転リール
２４　基板ユニット　　　　　　　　　　２５　リールテープ
２６　押さえローラ　　　　　　　　　　２７　ローラホルダ
２８　ソレノイド　　　　　　　　　　　３０　上扉
３１　図柄表示窓　　　　　　　　　　　３２　飾り部
３３　表示装置　　　　　　　　　　　　４０　下扉
４２　メダル投入口　　　　　　　　　　４３　メダル受け皿
４４　鍵穴　　　　　　　　　　　　　　４５　表示パネル
５０　操作部　　　　　　　　　　　　　５１　投入スイッチ
５２　ベットスイッチ　　　　　　　　　５３　精算スイッチ
５４　スタートスイッチ　　　　　　　　５５　ストップスイッチ
６０　可逆記録装置　　　　　　　　　　６１　記録ヘッド
６２　消去ヘッド　　　　　　　　　　　６３　ヘッドホルダ
６４　ソレノイド　　　　　　　　　　　６５　フレーム
６６　制御部　　　　　　　　　　　　　６７　バッテリー
６８　係止部　　　　　　　　　　　　　６９　入力部
７０　リール検知手段　　　　　　　　　７１　スタートインデックス
７２　スリット　　　　　　　　　　　　７３　インデックスセンサ
７４　スリットセンサ
８０　制御装置　　　　　　　　　　　　８１　遊技制御装置
８２　演出制御装置
９０　通常遊技制御手段　　　　　　　　１００　特別遊技制御手段
１１０　当選抽選手段　　　　　　　　　　１２０　リール位置認識手段
１３０　回転制御手段　　　　　　　　　　１４０　書き換え制御手段
１５０　記録ユニット検知手段　　　　　　１５１　被検知部
１５２　センサ　　　　　　　　　　　　　１５３　孔
２００　保持体　　　　　　　　　　　　　２１０　ケース
２０１　取り付け部　　　　　　　　　　　２２０　上面
２２１　係止爪　　　　　　　　　　　　　２３０　底面
２３１　穴　　　　　　　　　　　　　　　２４０　開口部
２５０　接続端子　　　　　　　　　　　　２５１　ハーネス
３００　駆動装置
【図１】
2004113679.tif 000003
【図２】
2004113679.tif 000004
【図３】
2004113679.tif 000005
【図４】
2004113679.tif 000006
【図５】
2004113679.tif 000007
【図６】
2004113679.tif 000008
【図７】
2004113679.tif 000009
【図８】
2004113679.tif 000010
【図９】
2004113679.tif 000011
【図１０】
2004113679.tif 000012
【図１１】
2004113679.tif 000013
【図１２】
2004113679.tif 000014
【図１３】
2004113679.tif 000015
【図１４】
2004113679.tif 000016
【図１５】
2004113679.tif 000017
【図１６】
2004113679.tif 000018